【事件の表示】
　平成　９年特許願第　８０９７４号「平面アンテナ」拒絶査定不服審判事件〔平成１０年１０月１３日出願公開、特開平１０−２７６０２０〕について、次のとおり審決する。
【結　論】
　本件審判の請求は、成り立たない。
【理　由】
１．手続の経緯
　本件は，平成９年３月３１日の出願であって，平成１６年１１月１８日付けで拒絶査定がなされ，これに対し，同年１２月２４日に拒絶査定に対する審判請求がなされるとともに，平成１７年１月２４日付けで手続補正がなされたものである。
　
２．補正却下の決定
［補正却下の決定の結論］
　平成１７年１月２４日付けの手続補正（以下，「本件補正」という。）を却下する。
［理由］
　（１）補正後の本願発明
　本件補正により，平成１６年１０月２０日付け手続補正書で補正された特許請求の範囲である
「【請求項１】電波による信号を受信する受信部と，該受信部が収納されるケースと，一端が該受信部に接続され他端が該ケースの側面から引き出されたケーブルと，該トップケースの底部に装着されるボトムケースと，該ボトムケースと前記トップケースとの間をシールするシール部材とを有する平面アンテナにおいて，
　前記ケーブルが挿通される前記トップケースの内部に形成された複数の係止部と，
　前記ケーブルが挿通される挿通孔と前記複数の係止部間に嵌合係止される複数の突部とを有するケーブル用シール部材とを備え，
　前記ケーブル用シール部材は，前記ボトムケースが前記トップケースの底部開口に取り付けられることにより圧縮されて前記複数の突部を前記複数の係止部間に嵌合するように圧着されると共に，前記挿通孔を前記ケーブルの外周に圧着することを特徴とする平面アンテナ。」が，
「【請求項１】基板と，該基板上に設けられ電波による信号を受信する受信部と，前記基板を覆うシールドケースと，前記基板，前記受信部，前記シールドケースが収納される収納室を有するトップケースと，一端が該受信部に接続され他端が該トップケースの側面から引き出されたケーブルと，該トップケースの底部に装着されるボトムケースと，該ボトムケースと前記トップケースとの間をシールするシール部材とを有する平面アンテナにおいて，
　前記シール部材は，下面が前記ボトムケースに対応する四角枠状に形成され，上面が前記トップケースのシート部に当接するように形成された当接部と，前記四角枠状に形成された当接部の下部を覆うように一体成型され前記ボトムケースに当接する平板部と，を有し，
　前記収納室の内部に前記シール部材の当接部の上面に当接する一対のシート部を設け，　前記シール部材の当接部上に，前記ケーブルが挿通される前記トップケースの内部に形成された複数の係止部と，前記ケーブルが挿通される挿通孔と前記複数の係止部間に嵌合係止される複数の突部とを有するケーブル用シール部材を設け，
　前記ケーブル用シール部材は，前記ボトムケースが前記トップケースの底部開口に取り付けられることにより圧縮されて前記複数の突部を前記複数の係止部間に嵌合するように圧着されると共に，前記挿通孔を前記ケーブルの外周に圧着し，
　前記シール部材は，前記ボトムケースと前記トップケースとの間で前記収納部の開口をシールすることを特徴とする平面アンテナ。」と補正された。
　
　したがって，本件補正によれば，
　補正後の請求項１では，補正前の請求項１の「受信部」が，「基板上に設けられ」ている旨付加され，
　補正後の請求項１では，補正前の請求項１の「トップケース」が，「基板」，「受信部」，「シールドケース」を収納する「収納室」を有する旨も付加され，
　補正後の請求項１では，補正前の請求項１の「シール部材」について，「下面が前記ボトムケースに対応する四角枠状に形成され，上面が前記トップケースのシート部に当接するように形成された当接部と，前記四角枠状に形成された当接部の下部を覆うように一体成型され前記ボトムケースに当接する平板部と，を有し」との事項も付加され，
　さらに，「前記シール部材は，前記ボトムケースと前記トップケースとの間で前記収納部の開口をシールする」との事項も付加されている。
　これらの付加事項により，各部位がより具体化され，発明が限定されたものということができる。そして，これらの事項は，本願の当初明細書に開示された事項であるから，本件補正は，特許法第１７条の２第４項第２号に規定する特許請求の範囲の減縮を目的とするものである。
　そこで，本件補正後の請求項１に係る発明（以下，「補正後発明」という。）が，特許出願の際独立して特許を受けることができるものであるか（特許法第１７条の２第５項において準用する同法第１２６条第５項の規定に適合するか）について以下に検討する。
　
　（２）引用発明
　原査定の拒絶の理由に引用された，本件出願前公知の刊行物である特開平７−１７６９３０号公報（以下，「引用文献」という。）には，
「【００２３】また，図４及び図５において，２１は誘電体基板２２の表裏面にパッチ電極２３及びグランド電極２４を形成したアンテナユニットであり，アンテナユニット２１のグランド電極２４に，絶縁基板２５に電子部品２６で構成したＲＦアンプ等の電子回路２７を搭載した回路基板２８を取り付け，回路基板２８のパターン２８ａに給電用のケーブル２９を接続しアンテナ本体３０を構成している。なお，回路基板２８の周辺には，グランドパターン２８ｂを形成するとともに，コ字状の切り欠き２８ｃを設けている。
【００２４】また，３１は樹脂製のレドームであり，レドーム３１は，中央部に一方面を切り欠いた凹部３１ａを形成し，凹部３１ａの周囲に口字状の溝３１ｂを形成し，側壁にＵ字状の溝３１ｃ，３１ｄを形成している。また，凹部３１ａの各内壁の中央部に段部３１ｅを形成し，レドーム３１の四隅には複数のねじ穴３１ｆを形成している。
【００２５】そして，レドーム３１の段部３１ｅにゴム等の緩衝材３２を介して，アンテナ本体３０の回路基板２８をレドーム３１の開放側に向けて載置するとともに，ケーブル３１をレドーム３１の溝３１ｃ，３１ｄに挿通し，レドーム３１内にアンテナ本体２１を収納している。さらに，回路基板２８の周辺のグランドパターン２８ｂ上に，金属板を口字状に折曲し，側面にＵ字状の溝３３ａを形成したスペーサ３３を載置し，スペーサ３３とレドーム３１の凹部３１ａの側壁端部３１ｇ上に，ゴムシート３４を載置し，ゴムシート３４上から複数のねじ穴３５ａを形成した金属のベース３５で，アンテナ本体３０とスペーサ３３とゴムシート３４を押圧して，レドーム３１とベース３５をねじ３６で固定し，アンテナ３７を構成している。
【００２６】このうち，ケーブル２９には，ゴムブッシング３８を取り付け，ゴムブッシング３８を，レドーム３１の溝３１ｃに挿入している。なお，ゴムブッシング３８は，一方をスリット３８ａを有する平坦面とし他方を半円形に成形したものである。また，スペーサ３３の回路基板２８側には，突起３３ｂが設けられ，突起３３ｂが回路基板２８の切り欠き２８ｃに嵌合してスペーサ３３の位置決めを行っている。
【００２７】このように構成したアンテナ３７は，防水用のゴムシート３４及びゴムブッシング３８の取り付けが容易になるため，アンテナの組み立てが容易になる。また，緩衝材３２及びゴムシート３４が，アンテナ本体２１にかかる振動や衝撃を吸収するため信頼性が向上する。なお，ゴムシート３４に導電性のものを使用することにより，回路基板３０のグランドパターン２８ｂとベース３５が，スペーサ３３及びゴムシート３４を介して導通し，ベース３５により信号のシールド効果を高めることができる。また，緩衝材として，図３に示すような，口字状で一体となった緩衝材１２ａを用いることで，緩衝材１２ａの取り付け作業が簡略化する。さらに，ゴムブッシング３８を，図６に示すような，スリットがなく一方を平坦とし他方を半円形に成形したゴムブッシング３９とすることで，より防水性を向上することができる。」（第４頁第５〜６欄）。
と記載されている。
　
　上記摘記事項中の「アンテナユニット（２１）」は，当然，電波による信号を受信するものであり，
　上記摘記事項中の段落【００２７】の記載により明らかなように，上記摘記事項中の「ゴムシート（３４）」は防水用である旨記載されているから，当然，シールするものである。
　したがって，第二の実施例に係る発明として，引用文献には，
「回路基板（２８）と，該回路基板（２８）上に設けられ電波による信号を受信するパッチ電極（２３）を形成したアンテナユニット（２１）と，前記回路基板（２８）を四方を囲うスペーサ（３３）と，前記回路基板（２８），前記パッチ電極（２３）を形成したアンテナユニット（２１），前記スペーサ（３３）が収納される凹部（３１ａ）を有するレドーム（３１）と，一端が該パッチ電極（２３）を形成したアンテナユニット（２１）に接続され他端が該レドーム（３１）の側面から引き出されたケーブル（２９）と，該レドーム（３１）の底部に装着されるベース（３５）と，該ベース（３５）と前記レドーム（３１）との間をシールするゴムシート（３４）とを有するアンテナにおいて，
　前記ゴムシート（３４）は，上面が前記レドーム（３１）の側壁端部（３１ｇ）に当接するように形成され，
　前記収納室の内部に前記ゴムシート（３４）の上面に当接する側壁端部（３１ｇ）を設け，
　前記ケーブルが挿通される挿通孔有するゴムブッシング（３８）を設け，
　　前記ゴムシート（３４）は，前記ベース（３５）と前記レドーム（３１）との間で前記凹部（３１ａ）の開口をシールするアンテナ。」（以下，「引用発明」という。）が記載されている。
　
　（３）対比
　そこで，補正後発明と引用発明とを比較する。
　補正後発明は，再掲すると，
「基板と，該基板上に設けられ電波による信号を受信する受信部と，前記基板を覆うシールドケースと，前記基板，前記受信部，前記シールドケースが収納される収納室を有するトップケースと，一端が該受信部に接続され他端が該トップケースの側面から引き出されたケーブルと，該トップケースの底部に装着されるボトムケースと，該ボトムケースと前記トップケースとの間をシールするシール部材とを有する平面アンテナにおいて，
　前記シール部材は，下面が前記ボトムケースに対応する四角枠状に形成され，上面が前記トップケースのシート部に当接するように形成された当接部と，前記四角枠状に形成された当接部の下部を覆うように一体成型され前記ボトムケースに当接する平板部と，を有し，
　前記収納室の内部に前記シール部材の当接部の上面に当接する一対のシート部を設け，　前記シール部材の当接部上に，前記ケーブルが挿通される前記トップケースの内部に形成された複数の係止部と，前記ケーブルが挿通される挿通孔と前記複数の係止部間に嵌合係止される複数の突部とを有するケーブル用シール部材を設け，
　前記ケーブル用シール部材は，前記ボトムケースが前記トップケースの底部開口に取り付けられることにより圧縮されて前記複数の突部を前記複数の係止部間に嵌合するように圧着されると共に，前記挿通孔を前記ケーブルの外周に圧着し，
　前記シール部材は，前記ボトムケースと前記トップケースとの間で前記収納部の開口をシールすることを特徴とする平面アンテナ。」である。
　
　引用発明中の「回路基板（２８）」は基板であり，
　引用発明中の「パッチ電極（２３）を形成したアンテナユニット（２１）」は受信部であり，
　引用発明中の「凹部（３１ａ）」は，回路基板（２８），パッチ電極（２３）を形成したアンテナユニット（２１），スペーサ（３３）を収納しているから，収納室と称することができ，
　引用発明中の「レドーム（３１）」は一種のケースであるから，トップケースと称することができ，
　引用発明中の「ベース（３５）」はレドーム（３１）に取り付けられることにより，回路基板（２８），パッチ電極（２３）を形成したアンテナユニット（２１），スペーサ（３３）を外部から密閉する作用をなしているから，ボトムケースと称することができ，
　引用発明中の「ゴムシート（３４）」はシール部材であり，
　引用発明中の「側壁端部（３１ｇ）」は本願補正発明中の「シート部」と名称こそ異なるものの，シール部材（ゴムシート（３４））に当接させることで，回路基板（２８），パッチ電極（２３）を形成したアンテナユニット（２１），スペーサ（３３）を外部から密閉しているから，シート部と称することができ，
　引用発明中の「スペーサ（３３）」は，上記摘記事項中の段落【００２５】に，グランドパターンに載置されている旨記載されていること等からも明らかなようにシールド部材であり，補正後発明中の「シールドケース」もシールド部材であり，前記「スペーサ（３３）」は「回路基板（２８）」を四方を囲っており，一方，補正後発明中の「シールドケース」は基板を覆っているから，両者は（回路）基板を四方を囲っている点では一致し，
　引用発明中の「ゴムブッシング（３８）」は防水用であるから，ケーブル用シール部材であり，
　引用発明の「パッチ電極（２３）を形成したアンテナユニット（２１）」は，平面アンテナの一種であるから，
　両者は，
「基板と，該基板上に設けられ電波による信号を受信する受信部と，前記基板の四方を囲うシールド部材と，前記基板，前記受信部，前記シールド部材が収納される収納室を有するトップケースと，一端が該受信部に接続され他端が該トップケースの側面から引き出されたケーブルと，該トップケースの底部に装着されるボトムケースと，該ボトムケースと前記トップケースとの間をシールするシール部材とを有する平面アンテナにおいて，
　前記シール部材は，上面が前記トップケースのシート部に当接するように形成され，
　前記収納室の内部に前記シール部材の上面に当接するシート部を設け，
　前記ケーブルが挿通される挿通孔を有するケーブル用シール部材を設け，
　前記シール部材は，前記ボトムケースと前記トップケースとの間で前記収納部の開口をシールする平面アンテナ。」の点で一致し，以下の点で相違する。
　
（相違点１）
　シールド部材に関し，補正後発明は，「基板を覆うシールドケース」であるのに対し，引用発明は，「（回路）基板四方を囲うスペーサ（３３）」である。
　
（相違点２）
　シール部材に関し，補正後発明は，「下面が前記ボトムケースに対応する四角枠状に形成され，上面が前記トップケースのシート部に当接するように形成された当接部と，前記四角枠状に形成された当接部の下部を覆うように一体成型され前記ボトムケースに当接する平板部と，を有し」ているのに対し，引用発明は，「上面が前記レドーム（３１）の側壁端部（３１ｇ）に当接するように形成され」たシートにすぎない。
　
（相違点３）
　シート部に関し，補正後発明では，「一対」であるのに対して，引用発明では，対はない。また，前記相違点２との関係で，補正後発明では，「前記収納室の内部に前記シール部材の当接部の上面に当接する一対のシート部を設け」との記載において，「当接部の」と限定がなされている。
　
（相違点４）
　ケーブル用シール部材の構造，取付状態に関し，補正後発明は，「前記シール部材の当接部上に，前記ケーブルが挿通される前記トップケースの内部に形成された複数の係止部と，前記ケーブルが挿通される挿通孔と前記複数の係止部間に嵌合係止される複数の突部とを有する」及び「前記ボトムケースが前記トップケースの底部開口に取り付けられることにより圧縮されて前記複数の突部を前記複数の係止部間に嵌合するように圧着されると共に，前記挿通孔を前記ケーブルの外周に圧着し，」と規定されているのに対し，引用発明は，「ケーブルが挿通される挿通孔有する」との構成にとどまっている。　
　
　（４）判断
　そこで，上記相違点について検討する。
・（相違点１）について
　平面アンテナにおいて，基板全面をシールドケースで覆うことは，本願の発明の詳細な説明中に従来例として開示されているように，また例えば，特開平９−８５１８号公報，実願平４−７５７０３号（実開平６−４１２１７号）のＣＤ−ＲＯＭに示されているように，周知技術にすぎないから，引用発明における「（回路）基板四方を囲うスペーサ（３３）」を，「基板を覆うシールドケース」に変更する程度のことは，周知技術の単なる転用にすぎない。
　
・（相違点２）について
　引用発明においても，シール部材である「ゴムシート（３４）」の４辺に，シート部である「側壁端部（３１ｇ）」を当接することによって，外部から密閉しているものであるから，この４辺は，事実上の当接部ということができる。したがって，当接部の形状としては，補正後発明が，四角枠状に形成されている点がないものの，四角枠状とすることによって，格別な効果を奏したものとはいえないから，単なる形状の変更の域を出ない。また，上記「・（相違点１）について」の周知例である特開平９−８５１８号公報，あるいは，実願平５−８１００号（実開平６−７０２９２号）のＣＤ−ＲＯＭにも開示されているように，枠状のパッキン，シール自体が周知技術であることからしても，単なる周知技術の付加の域を出ないものである。そして，「ゴムシート（３４）」は，常識的に平板状であるから，補正後発明の「平板部」と同様の構成も，引用発明において，事実上の構成となっている。
　以上のとおりであるから，「下面が前記ボトムケースに対応する四角枠状に形成され，上面が前記トップケースのシート部に当接するように形成された当接部と，前記四角枠状に形成された当接部の下部を覆うように一体成型され前記ボトムケースに当接する平板部と，を有し」とする点に格別な創意工夫を見出すことはできない。なお，審判請求人は，審判請求書において，このシール部材の効果として，「各部品を漏水から守る」点が補正後発明における格別な効果である旨主張しているが，引用発明中の「ゴムシート（３４）」も同様の効果を奏することは明らかであるから，前記主張は失当である。
　
・（相違点３）について
　一対とする点は，それによって格別な効果を奏しているものとも認められない以上，単なる設計的事項である。そして，上記「・（相違点２）について」で言及しているように，「当接部の」と限定自体も，シール部材である「ゴムシート（３４）」の４辺が，事実上の当接部であることから，その当接する部位を単に当接部と命名したにすぎない。
　
・（相違点４）について
　原審の拒絶の理由でも指摘しているように，相違点４に係るような，ケーブル用シール部材の構造，取付手法は，例えば，実願昭５９−１８１９７９号（実開昭６１−９７８８２号）のマイクロフィルムに開示されているように，周知技術にすぎず，これを引用発明に適用しても，自明の効果以上のものは奏しないから，単なる周知技術の利用の域を出ない。
　そして，上記相違点１〜４に係る変更によって格別な作用・効果を奏するに至ったともいえない。
　
　（５）むすび
　以上のとおり，本件補正は，特許法第１７条の２第５項で準用する同法第１２６条第５項の規定に違反するものであり，特許法第１５９条第１項で準用する特許法第５３条第１項の規定により却下されるべきものである。
　
　３．本願発明について
　（１）平成１７年１月２４日付けの手続補正は上記のとおり却下されたので，本願の請求項１に係る発明は，平成１６年１０月２０日付け手続補正書で補正された特許請求の範囲の請求項１に記載された事項により特定される，上記「２．（１）」の冒頭に記載したとおりの
「電波による信号を受信する受信部と，該受信部が収納されるケースと，一端が該受信部に接続され他端が該ケースの側面から引き出されたケーブルと，該トップケースの底部に装着されるボトムケースと，該ボトムケースと前記トップケースとの間をシールするシール部材とを有する平面アンテナにおいて，
　前記ケーブルが挿通される前記トップケースの内部に形成された複数の係止部と，
　前記ケーブルが挿通される挿通孔と前記複数の係止部間に嵌合係止される複数の突部とを有するケーブル用シール部材とを備え，
　前記ケーブル用シール部材は，前記ボトムケースが前記トップケースの底部開口に取り付けられることにより圧縮されて前記複数の突部を前記複数の係止部間に嵌合するように圧着されると共に，前記挿通孔を前記ケーブルの外周に圧着することを特徴とする平面アンテナ。」（以下，「本願発明」という。）である。
　
　（２）引用発明
　原査定の拒絶の理由に引用された刊行物，及び，その記載事項は，前記「２．（２）」に記載したとおりである。
　
　（３）対比・判断
　本願発明は，前記「２．（１）」で検討したように，
「受信部」に関して，「基板と，該基板上に設けられ」との構成，
「トップケース」に関して，「収納室を有する」と構成，及び，前記「収納室」には，「前記基板を覆うシールドケースと，前記基板，前記受信部，前記シールドケースが収納される」との構成，
さらに，「前記シール部材は，下面が前記ボトムケースに対応する四角枠状に形成され，上面が前記トップケースのシート部に当接するように形成された当接部と，前記四角枠状に形成された当接部の下部を覆うように一体成型され前記ボトムケースに当接する平板部と，を有し」との構成，
「前記収納室の内部に前記シール部材の当接部の上面に当接する一対のシート部を設け」との構成，
「前記シール部材の当接部上に」との構成，
「前記シール部材は，前記ボトムケースと前記トップケースとの間で前記収納部の開口をシールする」との構成，
を，補正後発明から削除したものであるから，本願発明の構成要件にさらに限定要件である上記構成を付加したものに相当する補正後発明が，前記「２．（４）」に記載したとおり，引用発明，周知技術に基づいて，当業者が容易に発明をすることができたものである以上，本願発明も，同様の理由により，引用発明に基づいて，当業者が容易に発明をすることができたものである。
　そして，本願発明に関する作用・効果も，引用発明及び周知技術から当業者が予測できる範囲のものである。
　
　４．むすび
　以上のとおり，本願の請求項１に係る発明は，引用発明及び周知技術に基づいて，当業者が容易に発明をすることができたものであるから，特許法第２９条第２項の規定により特許を受けることができない。
　よって，結論のとおり審決する。